(57)【特許請求の範囲】
【請求項１】
所定単位のビデオ信号が固定長となるように圧縮すると共に、圧縮率が変更可能とされたビデオ圧縮手段と、
記録モードを設定するためのモード設定入力が与えられる入力手段と、
上記入力手段からのモード設定入力に応じて、上記ビデオ圧縮手段の圧縮率を可変させる圧縮率設定手段と、
上記圧縮されたビデオ信号に上記記録モードの情報を含むステータス情報を付加してブロックを形成し、上記ブロック単位でビデオ信号及びステータス情報を記録媒体に記録する記録手段と
を備えるようにした映像記録装置。
【請求項２】
圧縮されたビデオ信号に記録モードの情報を含むステータス情報を付加したブロック単位で、記録媒体からビデオ信号及びステータス情報を再生する再生手段と、
上記ブロックからステータス情報を検出して記録モードを判断し、上記記録モードに応じて圧縮率を設定する手段と、
上記圧縮率に基づいて上記記録媒体から再生されたビデオ信号を伸長するビデオ伸長手段と
を備えるようにした映像再生装置。
【請求項３】
所定単位のビデオ信号が固定長となるように圧縮すると共に、圧縮率が変更可能とされたステップと、
記録モードを設定するためのモード設定入力が与えられるステップと、
上記モード設定入力に応じて、上記圧縮率を可変させるステップと、
上記圧縮されたビデオ信号に上記記録モードの情報を含むステータス情報を付加してブロックを形成し、上記ブロック単位でビデオ信号及びステータス情報を記録媒体に記録するステップと
を備えるようにした映像記録方法。
【請求項４】
圧縮されたビデオ信号に記録モードの情報を含むステータス情報を付加したブロック単位で、記録媒体からビデオ信号及びステータス情報を再生するステップと、
上記ブロックからステータス情報を検出して記録モードを判断し、上記記録モードに応じて圧縮率を設定するステップと、
上記圧縮率に基づいて上記記録媒体から再生されたビデオ信号を伸長するステップと
を備えるようにした映像再生方法。
【発明の詳細な説明】
【０００１】
【発明の属する技術分野】
この発明は、番組が絶えず記録媒体に記録されるようなテレビジョン受像機に用いて好適な映像記録装置及び再生装置、並びに映像記録方法及び再生方法に関するもので、特に、長時間記録モードの設定に係わる。
【０００２】
【従来の技術】
テレビジョン放送を楽しんでいる最中に、突然、電話の呼出しが鳴ったり、来客があり、放送番組を見逃してしまうことが良くある。テレビジョン放送番組を見逃してしまうと、再放送される番組を除いて、その番組は二度と見ることはできない。短期間のうちに再放送される番組はまれであり、ニュース番組やスポーツ番組は、殆どの場合には、再放送されていない。したがって、多くの場合、テレビジョン放送番組を見逃してしまうと、その番組は二度と見ることはできないことになる。
【０００３】
また、映画やドラマの名場面、重要人物のインタビュー、スポーツ番組のハイライトシーン等、放送番組を見ていて、保存しておきたい場面が突然に始まる場合がある。このような場合、直ちにＶＴＲをセットしても、その場面に間に合わず、その場面を録画できないようなことが良くある。
【０００４】
そこで、本願発明者は、放送番組を見ている最中に、その番組を絶えず記録媒体に記録するようなテレビジョン受像機を提案している。このようなテレビジョン受像機では、突然の電話の呼出しや来客があっても、その番組を遡って再生することができ、番組を見逃すことがなくなる。また、その番組を簡単に保存しておくことができ、記録しておきたい番組が突然始まっても対処できる。
【０００５】
また、本願発明者は、このように番組を絶えず記録媒体に記録するようなテレビジョン受像機における記録媒体として、ハードディスクドライブを用いることを提案している。従来、ビデオ信号を記録する記録媒体としては、磁気テープが広く用いられている。ところが、磁気テープはアクセス速度が遅く、このようなテレビジョン受像機に用いられる記録媒体として用いるのは困難である。また、半導体メモリを用いることが考えられるが、大容量の半導体メモリは非常に高価であると共に、半導体メモリでは、電源が落とされると保存しておいた番組が消えてしまい、番組を長く保存しておくような場合に不向きである。これに対して、ハードディスクドライブは、大容量で、アクセス速度も十分に速い。
【０００６】
【発明が解決しようとする課題】
ところで、このようにハードディスクドライブにビデオ信号を記録するようにした場合、用途によっては、更に、長時間記録が行なえるようにすることが望まれる。テープにビデオ信号を記録する場合には、テープの送り速度を変化させることで、長時間記録が可能となる。例えば、長時間記録モードは、ＶＨＳ方式では３倍モードと呼ばれ、８ミリＶＴＲではＬＰモードと呼ばれており、これらは、テープの送り速度を変化させて、長時間記録モードを設定している。
【０００７】
ハードディスクドライブにビデオ信号を記録する場合にも、ＶＨＳ方式の３倍モードや、８ミリＶＴＲのＬＰモードのように、長時間記録モードを設定できることか望まれる。
【０００８】
ところが、ハードディスクドライブにビデオ信号を記録するようにした場合には、テープにビデオ信号を記録した場合と同様の方法では、長時間モードが実現できない。
【０００９】
また、従来のＶＴＲでは、テープの送り速度を変化させて、長時間記録モードを設定しているため、記録モードの切り換りで、再生画面が乱れるという問題がある。
【００１０】
したがって、この発明の目的は、ハードディスク等の記録媒体にビデオ信号を記録するようにした場合に、簡単に長時間記録モードが設定できる映像記録装置及び再生装置、並びに映像記録方法及び再生方法を提供することにある。
【００１１】
【課題を解決するための手段】
請求項１に係わる発明は、所定単位のビデオ信号が固定長となるように圧縮すると共に、圧縮率が変更可能とされたビデオ圧縮手段と、記録モードを設定するためのモード設定入力が与えられる入力手段と、入力手段からのモード設定入力に応じて、ビデオ圧縮手段の圧縮率を可変させる圧縮率設定手段と、圧縮されたビデオ信号に記録モードの情報を含むステータス情報を付加してブロックを形成し、ブロック単位でビデオ信号及びステータス情報を記録媒体に記録する記録手段とを備えるようにした映像記録装置である。
請求項２に係わる発明は、圧縮されたビデオ信号に記録モードの情報を含むステータス情報を付加したブロック単位で、記録媒体からビデオ信号及びステータス情報を再生する再生手段と、ブロックからステータス情報を検出して記録モードを判断し、記録モードに応じて圧縮率を設定する手段と、圧縮率に基づいて記録媒体から再生されたビデオ信号を伸長するビデオ伸長手段とを備えるようにした映像再生装置である。
【００１３】
請求項５に係わる発明は、所定単位のビデオ信号が固定長となるように圧縮すると共に、圧縮率が変更可能とされたステップと、記録モードを設定するためのモード設定入力が与えられるステップと、モード設定入力に応じて、圧縮率を可変させるステップと、圧縮されたビデオ信号に記録モードの情報を含むステータス情報を付加してブロックを形成し、ブロック単位でビデオ信号及びステータス情報を記録媒体に記録するステップとを備えるようにした映像記録方法である。
請求項６に係わる発明は、圧縮されたビデオ信号に記録モードの情報を含むステータス情報を付加したブロック単位で、記録媒体からビデオ信号及びステータス情報を再生するステップと、ブロックからステータス情報を検出して記録モードを判断し、記録モードに応じて圧縮率を設定するステップと、圧縮率に基づいて記録媒体から再生されたビデオ信号を伸長するステップとを備えるようにした映像再生方法である。
【００１５】
ビデオ信号を圧縮して記録媒体に記録する際に、圧縮率を変更することで、長時間記録モードが簡単に設定できる。また、ビデオ信号を固定長のブロックにブロック化し、このブロックに記録モードに関する情報が含まれるヘッダを設けておくことにより、記録再生処理を通常の記録モードと同様に処理できると共に、再生時に簡単に記録モードに応じた圧縮率に設定できる。
ビデオ信号を記録媒体に記録する際に、コマ落としの間隔を変更することで、長時間記録モードが簡単に設定できる。また、ビデオ信号を固定長のブロックにブロック化し、このブロックに記録モードに関する情報が含まれるヘッダを設けておくことにより、記録再生処理を通常の記録モードと同様にできると共に、再生時に簡単に記録モードに応じた補間処理を行なうことができる。
【００１６】
【発明の実施の形態】
以下、この発明の実施の形態について図面を参照して説明する。この発明は、テレビジョン受像機にハードディスクドライブが内蔵されているテレビジョン受像機に適用される。このようなハードディスクドライブが備えられたテレビジョン受像機では、見逃したシーンや再度見たいシーンを遡って再生したり、所望の番組を記録再生したりというようなことが可能になる。
【００１７】
図１は、この発明が適用されたテレビジョン受像機の構成を示すものである。図１において、アンテナ１で受信された受信信号は、チューナ回路２に供給される。チューナ回路２には、システムコントローラ１０からチャンネル設定信号が供給される。チューナ回路１０で、このチャンネル設定信号に基づいて、所望の受信チャンネルの信号が選択され、この信号が中間周波数信号に変換される。
【００１８】
チューナ回路２の出力が映像中間周波数回路３に供給される。映像中間周波数回路３で、チューナ回路２からの中間周波数信号が増幅され、この信号がビデオ検波される。これにより、例えばＮＴＳＣ方式のコンポジットビデオ信号が得られる。このビデオ信号がビデオソース切り替えスイッチ５の一方の入力端子５Ａに供給される。また、中間周波数回路３の出力の例えば４．５ＭＨｚのビート成分から音声信号が検波される。この出力が音声復調回路１２に供給される。
【００１９】
ビデオソース切り替えスイッチ５の他方の入力端子５Ｂには、外部ビデオ入力端子６からのビデオ信号が供給される。ビデオソース切り替えスイッチ５には、システムコントローラ１０からセレクト信号が供給される。ビデオソース切り替えスイッチ５により、受信されたテレビジョン放送に基づくビデオ信号と、外部ビデオ入力端子６からのビデオ信号とが切り替えられる。
【００２０】
ビデオソース切り替えスイッチ５の出力がビデオ信号処理回路７に供給される。ビデオ信号処理回路７により、ＮＴＳＣ方式のコンポジットビデオ信号から輝度信号Ｙとクロマ信号Ｃとが分離され、更に、クロマ信号Ｃから色差信号Ｕ、Ｖが復調され、コンポーネントビデオ信号Ｙ、Ｕ、Ｖが形成される。このコンポーネントビデオ信号Ｙ、Ｕ、Ｖは、スイッチ回路８の端子８Ａに供給されると共に、ビデオ信号をハードディスクドライブ３０に保存するために、Ａ／Ｄコンバータ２１に供給される。スイッチ回路８の他方の入力端子８Ｂには、ハードディスクドライブ３０からの再生画面を出力するために、Ｄ／Ａコンバータ３５の出力が供給される。
【００２１】
スイッチ回路８は、受信しているテレビジョン放送又は外部ビデオ入力端子６からのビデオ信号に基づく画面と、ハードディスクドライブ３０からの再生画面とを切り替えるためのものである。スイッチ回路８は、システムコントローラ１０により制御される。受信しているテレビジョン放送又は外部ビデオ入力端子６からのビデオ信号に基づく画面を映出する場合には、スイッチ回路８が端子８Ａ側に切り替えられる。ハードディスクドライブ３０からの再生画面を映出する場合には、スイッチ回路８が端子８Ｂ側に切り替えられる。
【００２２】
スイッチ回路８の出力が映像出力回路９に供給される。映像出力回路９は、スイッチ回路８からのコンポーネットビデオ信号Ｙ、Ｕ、Ｖから、３原色信号Ｒ、Ｇ、Ｂを形成するマトリクス回路と、この３原色信号Ｒ、Ｇ、Ｂをドライブしてカラー受像管１１に供給するための映像増幅回路とを有する。映像出力回路９で、スイッチ回路８からのコンポーネントビデオ信号Ｙ、Ｕ、Ｖが３原色信号Ｒ、Ｇ、Ｂに変換され、カラー受像管１１に供給される。
【００２３】
また、中間周波数回路３の出力の例えば４．５ＭＨｚのビート成分から検波れた音声信号は、音声復調回路１２に供給される。音声復調回路１２で、オーディオ信号が復調される。このオーディオ信号がオーディオソース切り替えスイッチ１３の入力端子１３Ａに供給される。
【００２４】
オーディオソース切り替えスイッチ１３の他方の端子１３Ｂには、外部オーディオ入力端子１４からのオーディオ信号が供給される。オーディオソース切り替えスイッチ１３により、受信されたテレビジョン放送に基づくオーディオ信号と、外部オーディオ入力端子１４からのオーディオ信号とが選択される。
【００２５】
オーディオソース切り替えスイッチ１３の出力は、スイッチ回路１５の端子１５Ａに供給されると共に、音声信号をハードディスクドライブ３０に保存するために、Ａ／Ｄコンバータ２５に供給される。スイッチ回路１５の他方の入力端子１５Ｂには、ハードディスクドライブ３０からの音声信号を出力するために、Ｄ／Ａコンバータ３８の出力が供給される。
【００２６】
スイッチ回路１５は、受信しているテレビジョン放送又は外部オーディオ入力端子１４からのオーディオ信号と、ハードディスクドライブ３０から再生されたオーディオ信号との切り替えを行なうものである。スイッチ回路１５は、システムコントローラ１０により制御される。受信しているテレビジョン放送又は外部オーディオ入力端子１４からのオーディオ信号を出力する場合には、スイッチ回路１５が端子１５Ａ側に切り替えられる。ハードディスクドライブ３０からのオーディオ信号を出力する場合には、スイッチ回路１５が端子１５Ｂ側に切り替えられる。
【００２７】
スイッチ回路１５の出力がオーディオアンプ１６に供給される。オーディオアンプ１６で、スイッチ回路１５からのオーディオ信号が増幅される。このオーディオ信号がスピーカ１７に供給される。
【００２８】
また、ビデオ信号処理回路７からのコンポーネントビデオ信号Ｙ、Ｕ、Ｖは、ハードディスクドライブ３０で保存するために、Ａ／Ｄコンバータ２１に供給される。Ａ／Ｄコンバータ２１で、ビデオ信号処理回路１７からのコンポーネントビデオ信号がディジタル化される。Ａ／Ｄコンバータ２１の出力がフィールドメモリ２２に供給される。フィールドメモリ２２の出力が画像圧縮回路２３に供給される。画像圧縮回路２３で、このコンポーネントビデオ信号が圧縮される。画像の圧縮方式としては、例えば、モーションＪＰＥＧが用いられ、１フィールドの符号量が等しくなるように圧縮される。画像圧縮回路２３で圧縮されたビデオデータは、バッファメモリ２４を介して、バス２９に送出される。
【００２９】
オーディオソース切り替え回路１３からのオーディオ信号は、ハードディスクドライブ３０で保存するために、Ａ／Ｄコンバータ２５に供給される。Ａ／Ｄコンバータ２５で、オーディオソース切り替え回路１３からのオーディオ信号がディジタル化される。Ａ／Ｄコンバータ２５の出力が音声圧縮回路２６に供給される。音声圧縮回路２６で、オーディオ信号が圧縮される。音声の圧縮方式としては、例えば、ノンリニアＰＣＭが用いられる。音声圧縮回路２６で圧縮されたオーディオデータは、バッファアンプ２８を介して、バス２９に送出される。
【００３０】
バッファメモリ２４からのビデオデータと、音声圧縮回路２６からのオーディオデータは、固定長のブロックに合成される。各ブロックには、ブロックを識別するための所定のヘッダが設けられる。後に説明するように、このヘッダには、ワイド／ノーマル、ステレオ／モノラル、記録年月日等の他、圧縮情報や間引き情報等、記録モードを識別するための情報が含まれている。
【００３１】
このように、ブロック化されたビデオデータとオーディオデータが、ＣＰＵ（Central Processing Unit ）からなる記録／再生コントローラ２７の制御の基に、バス２９を介して、ハードディスクドライブ３０に記録される。これにより、ハードディスクドライブ３０にビデオデータ及オーディオデータが貯えられる。
【００３２】
ハードディスクドライブ３０に記録されているビデオデータ及び及びオーディオデータは、記録／再生コントローラ２７の制御の基に、再生される。ハードディスクドライブ３０からの再生データは、バス２９を介して、バッファメモリ３１及び３２に供給される。
【００３３】
バッファメモリ３１からのビデオデータは、画像伸長回路３２に供給される。画像伸長回路３２で、例えばモーションＪＰＥＧで圧縮されていたビデオデータから、コンポーネントビデオデータＹ、Ｕ、Ｖが形成される。画像伸長回路３２の出力が、マルチ画面を形成するための画像処理回路３３、フィールドメモリ３４を介して、Ｄ／Ａコンバータ３５に供給される。Ｄ／Ａコンバータ３５で、ディジタルビデオ信号がアナログビデオ信号に変換される。このＤ／Ａコンバータ３５の出力がスイッチ回路８の端子８Ｂに供給される。
【００３４】
また、バッファメモリ３６からのオーディオデータは、音声伸長回路３７に供給される。音声伸長回路３７の出力がＤ／Ａコンバータ３８に供給される。Ｄ／Ａコンバータ３８によりディジタルオーディオ信号がアナログオーディオ信号に変換される。このＤ／Ａコンバータ３８の出力がスイッチ回路１５の端子１５Ｂに供給される。
【００３５】
システムコントローラ１０は、テレビジョン受像機の全体の制御を行なっている。システムコントローラ１０と、記録／再生処理コントローラ２７とは、双方向に接続される。
【００３６】
システムコントローラ１０には、受光部４２を介して、リモートコマンダ５２から入力が与えられる。このリモートコマンダ５２からの入力に基づいて、各種の動作が設定される。システムコントローラ１０の出力が表示発生回路４４に供給される。表示発生回路４４からは、各種の動作設定状態を示す表示信号が発生される。この表示発生回路４４の出力が映像出力回路９に供給され、各種の動作状態が画面上に表示される。また、システムコントローラ１０に対して、タイマ４５が設けられる。タイマ４５は、番組を保存する時間を設定する際に用いられる。
【００３７】
この発明が適用されたテレビジョン受像機は、図２に示すように、リモートコマンダ５２を用いて操作することができる。
【００３８】
リモートコマンダ５２には、テレビジョン受像機の基本的な設定を行なうための各種のキー、すなわち、テレビジョン受像機の電源のオン／オフするための電源スイッチ６１、チャンネル設定を行なうためのチャンネルキー６２、６２、６２、・・・、チャンネルアップ／ダウンキー６３Ａ及び６３Ｂ、音量アップ／ダウンキー６４Ａ及び６４Ｂ、入力ソース切り換えスイッチ６５が配設される。
【００３９】
更に、この発明が適用されたテレビジョン受像機を操作するためのリモートコマンダ５２には、テレビジョン受像機のハードディスクドライブ３０の記録／再生を制御するための各種のキーとして、番組ポーズキー６６、ブックマーク記録キー６７、区間リピートキー６８、キャンセルキー６９、逆転スキップ再生キー７０、逆転高速送りキー７１、２倍速キー７２、正転高速送りキー７３、正転スキップキー７４、オーバービュー検索キー７５、矢印キー７６Ａ、７６Ｂ、決定キー７７が配設される。また、記録モードキー７８が配設される。
【００４０】
番組ポーズキー６６が押されると、受信中の画面がその場で停止され、静止画として表示される。その間、テレビジョン受像機のハードディスクドライブ３０に、その番組が記録される。番組ポーズキー６６が再び押されると、静止画となっている所の場面から、ハードディスクドライブ３０に記録されている番組が再生される。
【００４１】
ブックマーク記録キー６７が押されると、このとき放送されている番組をテレビジョン受像機のハードディスクドライブ３０に保存させることができる。
【００４２】
区間リピートキー６８により、リピート再生が設定される。区間リピートキー６８が最初に押されると、リピートの開始位置が設定され、区間リピートキー６８が次に押されると、リピートの終了位置が設定される。
【００４３】
キャンセルキー６９は、設定された動作や機能をキャンセルさせる際に押される。
【００４４】
逆転スキップ再生キー７０、逆転高速送りキー７１、２倍速キー７２、正転高速送りキー７３、正転スキップキー７４は、変速再生行なうためのキーである。
【００４５】
オーバービュー検索キー７５、矢印キー７６Ａ、７６Ｂ、決定キー７７は、番組検索に用いられる。オーバービュー検索キー７５が押されると、テレビジョン受像機の画面が、中央の画面と、周囲の複数の小画面とに分割される。周囲の小画面には、ハードディスクドライブ３０に記録されている画面の中から、所定時間毎の画面が表示される。矢印キー７６Ａ及び７６Ｂの操作により、複数の画面の中から、所望の画面が選択され、再生開始位置が検索されると、決定キー７７が押される。決定キー７７が押されると、選択された画面から再生が開始される。
【００４６】
記録モードキー７８は、標準記録モードと、長時間記録モードとの設定を行なうものである。記録モードキー７８により、標準記録モード（ＳＰモード）の他に、記録時間を２倍にするＬＰモードと、記録時間を３倍にするＥＰモードとが設定できる。
【００４７】
このように、この発明が適用されたテレビジョン受像機のリモートコマンダ５２には、オーバービュー検索キー７５が設けられている。このオーバービュー検索キー７５を用いると、ハードディスクドライブ３０に記録されている情報の中から所望の再生開始位置を簡単に検索することができる。
【００４８】
つまり、ハードディスクドライブ３０の記録時間を例えば６０分とすると、オーバービュー検索キー７５が押されると、この６０分の記録画面が例えば５分毎に分割され、５分毎の画面がインデックス画像として表示される。
【００４９】
すなわち、図３に示すように、画面８０が複数の小画面８１Ａ、８１Ｂ、８１Ｃ、・・・・に分割される。画面８１Ａの画面を「０分」の画面とすると、画面８１Ｂ、８１Ｃ、８１Ｄ、・・・・には、「５分」、「１０分」、「１５分」・・・・の画面が表示される。各画面８１Ａ、８１Ｂ、８１Ｃ、・・・・の時間順は、ユーザが認識しやすいように、時計回りとされている。各画面８１Ｂ、８１Ｃ、８１Ｄ、・・・・中には、経過時間が文字表示される。中央の小画面８３には、選択されている画面の動画が映出される。
【００５０】
これら５分毎の画面８１Ａ、８１Ｂ、８１Ｃ、・・・・から、所望の注目画面が選択される。注目画面の選択は、リモートコマンダの矢印キー７６Ａ及び７６Ｂの操作により行なわれる。画面８１Ａ〜８１Ｌの中で、選択された画面には、他の画面枠とは異なる画面枠８２が表示される。これと共に、中央の画面８０には、選択された注目画面に対応する動画像が映出される。この動画像中には、経過時間が文字表示される。現在再生されている時間帯がどのインデックス画像の時間帯と関連付けられているかは、画面枠の色を同じにすることにより視覚的に分かるようにされている。
【００５１】
更に、オーバービュー検索キー７５が押されると、図３Ｂに示すよう、各画面が１分づつオフセットされ、画面８１Ａ、８１Ｂ、８１Ｃ、８１Ｄ、・・・・には、「１分」、「６分」、「１１分」、「１６分」、・・・・の画面が表示される。そして、更に、オーバービュー検索キー７５が押されると、各画面が更に１分づつオフセットされ、画面８１Ａ、８１Ｂ、８１Ｃ、８１Ｄ、・・・・には、「２分」、「７分」、「１２分」、「１７分」の画面が表示される。
【００５２】
ユーザは、これらのインデックス画面８１Ａ、８１Ｂ、８１Ｃ、・・・・を見ながら、動画再生を開始したい時間帯を検索する。動画再生を開始したい時間帯が検索されると、決定キー７７が押される。決定キー７７が押されると、図３Ｃに示すように、フル画面表示となり、選択された時刻の画面から動画の再生が開始される。
【００５３】
このように、この発明では、現在再生されている時間帯がどのインデックス画像の時間帯と関連付けられているかは、画面枠の色を同じにすることにより視覚的に分かる。また、各画面８１Ａ、８１Ｂ、８１Ｃ、８１Ｄ、・・・・に映出されるインデックス画面の時間順は、実生活を考慮して、時計回りとされている。また、各インデックスの画面８１Ａ、８１Ｂ、８１Ｃ、８１Ｄ、・・・・には、経過時間が文字を表示され、中央の画面８３の動画像には、詳細な再生経過時間が文字表示される。このため、ユーザは時間の認識がしやすく、検索が容易である。
【００５４】
このように、オーバービュー検索キー７５が押されると、ハードディスクドライブ３０に記録されている６０分の記録画面が例えば５分毎に分割され、複数の画面８１Ａ、８１Ｂ、８１Ｃ、８１Ｄ、・・・・に映出される。更に、オーバービュー検索キー７５が押されると、各画面が１分づつオフセットされている。したがって、これらのインデックス画面８１Ａ、８１Ｂ、８１Ｃ、８１Ｄ、・・・・のどこかで、ユーザが検索したい画面のインデックスとなる画像が映出され、この画面から、所望の再生開始位置を検索することができる。
【００５５】
この発明が適用できるテレビジョン受像機には、リモートコマンダ５２に記録モードキー７８が設けられており、通常モードと、ＬＰモードと、Ｐモードとが設定できる。ＬＰモードでは、標準モードの２倍の記録時間が得られる。ＥＰモードでは、標準モードの３倍の記録時間が得られる。
【００５６】
ＬＰモードやＥＰモードの設定は、例えば、ビデオ信号の圧縮率を換えることにより行なわれる。
【００５７】
すなわち、画像圧縮回路２３は、例えば、量子化テーブルを切り換えることにより、圧縮率が可変とされている。例えば、ＬＰモードに設定されると、圧縮率が標準モードの例えば２倍に設定される。更に、ＥＰモードに設定されると、圧縮率が３倍に設定される。
【００５８】
図４Ａに示すように、例えば、通常モードの場合には、１ブロックに１フィールドのビデオデータが配置され、各ブロックの先頭に、ヘッダが設けられる。すなわち、ブロックＢ１にはフィールドｖ１のビデオデータとヘッダｄ１とが配置され、ブロックＢ２にはフィールドｖ２のビデオデータとヘッダｄ２とが配置され、ブロックＢ３にはフィールドｖ３のビデオデータとヘッダｄ３とが配置される。
【００５９】
ＬＰモードの場合には、図４Ｂに示すように、１ブロックに２フィールドのデータが配置され、各ブロックの先頭にヘッダが設けられる。すなわち、ブロックＢ１にはフィールドｖ１、ｖ２のビデオデータとヘッダｄ１とが配置され、ブロックＢ２にはフィールドｖ３、ｖ４のビデオデータとヘッダｄ２とが配置され、ブロックＢ３にはフィールドｖ５、ｖ６のビデオデータとヘッダｄ３とが配置される。なお、各ヘッダｄ１、ｄ２、ｄ３、・・・・には、ＬＰモードであることを示すモード情報が含められる。なお、圧縮率情報をモード情報とするようにしても良い。
【００６０】
ＥＰモードの場合には、図４Ｃに示すように、１ブロックに３フィールドのデータが配置され、各ブロックの先頭にヘッダが設けられる。すなわち、ブロックＢ１にはフィールドｖ１、ｖ２、ｖ３のビデオデータとヘッダｄ１とが配置され、ブロックＢ２にはフィールドｖ４、ｖ５、ｖ６のビデオデータとヘッダｄ２とが配置され、ブロックＢ３にはフィールドｖ７、ｖ８、ｖ９のビデオデータとヘッダｄ３とが配置される。なお、各ヘッダｄ１、ｄ２、ｄ３、・・・・には、ＥＰモードであることを示すモード情報が含められる。なお、圧縮率情報をモード情報とするようしても良い。
【００６１】
このように、ＬＰモードの場合には１ブロックに２フィールドのデータが配置され、ＥＰモードの場合には１ブロックに３フィールドのデータが配置されるが、ＬＰモードでは圧縮率が標準モードの２倍に設定され、ＥＰモードでは圧縮率が標準モードの３倍に設定されるので、ブロックの大きさＬB は、どのモードの場合も全て同じ大きさになる。このため、ハードディスクドライブ３０へのデータの記録処理は、同様に行なえる。
【００６２】
再生時には、ヘッダの情報から、モード情報が得られる。このモード情報に応じて、通常モードであるか、ＬＰモード又はＥＰモードであるかが判断される。標準モードの場合には、図５Ａに示すように、ヘッダｄ１、ｄ２、ｄ３、・・・・から、標準モードであることを示す情報が得られる。この場合には、１ブロックのデータから１フィールドのビデオデータが伸長される。すなわち、図５Ａに示すように、ブロックＢ１のデータからフィールドｖ１のデータが伸長され、ブロックＢ２のデータからフィールドｖ２のデータが伸長され、ブロックＢ３のデータからフィールドｖ３のデータが伸長される。
【００６３】
ＬＰモードの場合には、図５Ｂに示すように、ヘッダｄ１、ｄ２、ｄ３、・・・・から、ＬＰモードであることを示す情報が得られる。この場合には、１ブロックのデータから２フィールドのビデオデータが伸長される。すなわち、図５Ｂに示すように、ブロックＢ１のデータからフィールドｖ１、ｖ２のデータが伸長され、ブロックＢ２のデータからフィールドｖ３、ｖ４のデータが伸長され、ブロックＢ３のデータからフィールドｖ５、ｖ６のデータが伸長される。
【００６４】
ＥＰモードの場合には、図５Ｃに示すように、ヘッダｄ１、ｄ２、ｄ３、・・・・から、ＥＰモードであることを示す情報が得られる。この場合には、１ブロックのデータから３フィールドのビデオデータが伸長される。すなわち、図５Ｃに示すように、ブロックＢ１のデータからフィールドｖ１、ｖ２、ｖ３のデータが伸長され、ブロックＢ２のデータからフィールドｖ４、ｖ５、ｖ６のデータが伸長され、ブロックＢ３のデータからフィールドｖ７、ｖ８、ｖ９のデータが伸長される。
【００６５】
上述の例では、圧縮率を可変することにより、長時間モードに設定するようにしているが、コマ落としにより長時間記録を行なうようにすることもできる。
【００６６】
すなわち、フィールドメモリ２２からの読み出しを制御することにより、コマ落としを行なうことができる。例えば、ＬＰモードに設定されると、２フィールドに１フィールドのコマ落としが行なわれる。例えば、ＥＰモードに設定されると、３フィールドに１フィールドのコマ落としが行なわれる。
【００６７】
図６Ａに示すように、例えば、通常モードの場合には、１ブロックに１フィールドのビデオデータが配置され、各フィールドのデータが各ブロックに順に配置される。ブロックＢ１にはフィールドｖ１のビデオデータとヘッダｄ１とが配置され、ブロックＢ２にはフィールドｖ２のビデオデータとヘッダｄ２とが配置され、ブロックＢ３にはフィールドｖ３のビデオデータとヘッダｄ３とが配置される。
【００６８】
ＬＰモードの場合には、図６Ｂに示すように、２フィールドに１フィールドのコマ落としが行なわれる。ブロックＢ１にはフィールドｖ１のビデオデータとヘッダｄ１とが配置され、ブロックＢ２にはフィールドｖ３のビデオデータとヘッダｄ２とが配置され、ブロックＢ３にはフィールドｖ５のビデオデータとヘッダｄ３とが配置される。各ヘッダｄ１、ｄ２、ｄ３、・・・・には、ＬＰモードであることを示すモード情報が含められる。
【００６９】
ＥＰモードの場合には、図６Ｃに示すように、３フィールドに１フィールドのコマ落としが行なわれる。ブロックＢ１にはフィールドｖ１のビデオデータとヘッダｄ１とが配置され、ブロックＢ２にはフィールドｖ４のビデオデータとヘッダｄ２とが配置され、ブロックＢ３にはフィールドｖ７のビデオデータとヘッダｄ３とが配置される。各ヘッダｄ１、ｄ２、ｄ３、・・・・には、ＥＰモードであることを示すモード情報が含められる。
【００７０】
再生時には、ヘッダの情報から、モード情報が得られる。このモード情報に応じて、通常モードであるか、ＬＰモード又はＥＰモードであるかが判断される。標準モードの場合には、図７Ａに示すように、ヘッダｄ１、ｄ２、ｄ３、・・・・から、標準モードであることを示す情報が得られる。図７Ａに示すように、ブロックＢ１のデータからフィールドｖ１のデータが伸長され、ブロックＢ２のデータからフィールドｖ２のデータが伸長され、ブロックＢ３のデータからフィールドｖ３のデータが伸長される。
【００７１】
ＬＰモードの場合には、図７Ｂに示すように、ヘッダｄ１、ｄ２、ｄ３、・・・・から、ＬＰモードであることを示す情報が得られる。ＬＰモードの場合には、図７Ｂに示すように、ブロックＢ１のデータからフィールドｖ１のデータが伸長され、このフィールドｖ１のデータが２フィールドに渡って再生される。そして、ブロックＢ２のデータからフィールドｖ３のデータが伸長され、このフィールドｖ３のデータが２フィールドに渡って再生される。
【００７２】
ＥＰモードの場合には、図５Ｃに示すように、ヘッダｄ１、ｄ２、ｄ３、・・・・から、ＥＰモードであることを示す情報が得られる。ＥＰモードの場合には、図７Ｃに示すように、ブロックＢ１のデータからフィールドｖ１のデータが伸長され、このフィールドｖ１のデータが３フィールドに渡って再生される。そして、ブロックＢ２のデータからフィールドｖ４のデータが伸長され、このフィールドｖ４のデータが３フィールドに渡って再生される。
【００７３】
なお、上述の例では、２倍の記録時間となるＬＰモードと、３倍の記録時間となるＥＰモードについて説明したが、他の記録時間についても同様に設定できる。また、圧縮率と、コマ落としとを組み合わせて、記録時間を設定するようにしても良い。
【００７４】
【発明の効果】
請求項１及び請求項２に係わる発明によれば、ビデオ信号を圧縮して記録媒体に記録する際に、圧縮率を変更することで、長時間記録モードが簡単に設定できる。また、ビデオ信号を固定長のブロックにブロック化し、このブロックに記録モードに関する情報が含まれるヘッダを設けておくことにより、記録再生処理を通常の記録モードと同様にできると共に、再生時に簡単に記録モードに応じた圧縮率に設定できる。また、記録モードが途中で変わった場合にも、画面の乱れが生じない。
【００７５】
請求項３及び請求項４に係わる発明によれば、ビデオ信号を記録媒体に記録する際に、コマ落としの間隔を変更することで、長時間記録モードが簡単に設定できる。また、ビデオ信号を固定長のブロックにブロック化し、このブロックに記録モードに関する情報が含まれるヘッダを設けておくことにより、記録再生処理を通常の記録モードと同様にできると共に、再生時に簡単に記録モードに応じた補間処理を行なうことができる。また、記録モードが途中で変わった場合にも、画面の乱れが生じない。
【図面の簡単な説明】
【図１】この発明が適用されたテレビジョン受像機の一例のブロック図である。
【図２】この発明が適用されたテレビジョン受像機におけるリモートコマンダの説明に用いる平面図である。
【図３】インデッスク画面の説明に用いる略線図である。
【図４】この発明が適用されたテレビジョン受像機における長時間記録の一例の説明に用いる略線図である。
【図５】この発明が適用されたテレビジョン受像機における長時間記録の一例の説明に用いる略線図である。
【図６】この発明が適用されたテレビジョン受像機における長時間記録の他の例の説明に用いる略線図である。
【図７】この発明が適用されたテレビジョン受像機における長時間記録の他の例の説明に用いる略線図である。
【符号の説明】
２２、３４・・・フィールドメモリ、２３・・・画像圧縮回路、３０・・・ハードディスクドライブ、３２・・・画像伸長回路
【図１】
0003911763.tif 000002
【図２】
0003911763.tif 000003
【図３】
0003911763.tif 000004
【図４】
0003911763.tif 000005
【図５】
0003911763.tif 000006
【図６】
0003911763.tif 000007
【図７】
0003911763.tif 000008